Podtech/llm-jp-corpus-v4-ja_patent huggingface dataset:
(57)【要約】【課題】  従来の撫ブラシを腕や手首の力だけを利用して動かし壁紙等内の気泡抜きをしていると腕や手首が過度に疲労してしまう重労働な作業であった本発明は、腕や手首に負担の少ない壁紙等の気泡抜きをするための振動式撫ブラシを提供する。【解決手段】撫ブラシ本体に振動モーターとバッテリーを設け撫ブラシ本体に電源スイッチを設ける。以上の構成よりなる振動式撫ブラシ。【選択図】図１
2014214595.tif 000002
【特許請求の範囲】
【請求項１】
撫ブラシ本体に振動モーターを設け、撫ブラシ本体に取り付けられたブラシ部が振動モーターの駆動によってブラシ部に振動を伝えるようにした振動式撫ブラシ。
【発明の詳細な説明】
【技術分野】
【０００１】本発明は、壁装作業などの施工具の振動式撫ブラシに関するものである。
【技術背景】
【０００２】従来、壁紙等の施工をする場合、撫ブラシ等を使い壁紙を圧接しながら上下、左右、斜め方向に、表面を腕や手首の力で、スライドさせて壁紙等内の気泡を抜く作業をしていた。
【発明の概要】
【発明が解決しようとする課題】
【０００３】従来の撫ブラシを使い壁紙表面を圧接しながらスライドさせて壁紙内の気泡を抜く作業は、腕や手首が過度に疲労してしまう重労働な作業であった。
【課題を解決するための手段】
【０００４】撫ブラシ本体に振動モーターとバッテリーを設け撫ブラシ本上部内側に電源スイッチを設ける。以上の構成よりなる振動式撫ブラシ。
【発明の効果】
【０００５】従来のように腕や手首に過度な負担をかけずに、壁紙の気泡抜きが可能となる。
【図面の簡単な説明】
【０００６】
【図１】本発明の斜視図
【発明を実施するための形態】
【０００７】以下、本発明の実施の形態を説明する。
（イ）撫ブラシ本体（２）下部内部にバッテリー（４）と振動モーター（５）を設ける。
（ロ）撫ブラシ本体（２）上部内側表面にプッシュ式電源スイッチを設ける。
本発明は以上のような構造である。
本発明を使用するときは電源スイッチ（１）を押して振動モーター（５）を作動させると、振動モーター（５）の駆動によって撫ブラシ本体（２）が振動すると同時に、ブラシ部（３）を振動させる。ブラシ部（３）に壁紙を圧接しながら撫ブラシ本体（２）を、上下、左右、斜め方向に、壁紙の表面をスライドさせて壁紙内の気泡をブラシ部（３）の振動によって気泡を移動させて壁紙内に生じた気泡を排出させて抜く。壁紙の気泡を抜くためにブラシ部（３）を壁紙表面に圧接しながらスライドさせると、摩擦により壁紙が撫ブラシ本体の進行方向に伸びるため、それと反対方向に壁紙がもどろうとする力が働くそれを、ブラシ部（３）を振動させることにより軽減させて気泡抜きが効率よく行える。
【符号の説明】
【０００８】１電源スイッチ、２撫ブラシ本体、３ブラシ部、４バッテリー、５振動モーター
【図１】
2014214595.tif 000003
(57)【要約】【課題】    本発明の目的は、泥炭と米糠を混合させて発酵させた発酵体を用いる堆肥の製造方法を提供するものである。【解決手段】    堆肥の製造方法は、泥炭と米糠を混合させて発酵させ、堆肥を製造するものである。【選択図】なし【特許請求の範囲】
【請求項１】
泥炭と米糠を混合させて発酵させ、堆肥を製造することを特徴とする堆肥の製造方法。
【請求項２】
泥炭と米糠を混合させて発酵させ、堆肥を製造することを特徴とする土地改良材の製造方法。
【請求項３】
泥炭と米糠を混合させて発酵させた発酵体を汚泥に混合させて汚泥の悪臭を軽減することを特徴とする脱臭方法。
【発明の詳細な説明】
【技術分野】
【０００１】
本発明は、堆肥の製造方法、土地改良材の製造方法及び汚泥の脱臭方法に係り、特に、泥炭と米糠を混合させて発酵させた発酵体を用いる堆肥の製造方法、土地改良材の製造方法及び汚泥の脱臭方法に関する。
【背景技術】
【０００２】
従来、例えば、畜糞と泥炭とを混合させて発酵させた発酵体を堆肥として利用している（特許文献１の図１参照）。
【先行技術文献】
【特許文献】
【０００３】
【特許文献１】特開２００１−１７９２２２号公報
【発明の概要】
【発明が解決しようとする課題】
【０００４】
ところが、上記の畜糞と泥炭とを混合させて発酵させた発酵体を堆肥として利用した場合、病原抑止力の点で改善の余地があった。
【０００５】
本発明は、上記の問題点を考慮してなされたもので、泥炭と米糠を混合させて発酵させた発酵体を用いる堆肥の製造方法、土地改良材の製造方法及び汚泥の脱臭方法を提供することを目的とする。
【課題を解決するための手段】
【０００６】
請求項１記載の堆肥の製造方法は、泥炭と米糠を混合させて発酵させ、堆肥を製造するものである。
【０００７】
また、請求項２記載の土地改良材の製造方法は、泥炭と米糠を混合させて発酵させ、土地改良材を製造するものである。
【０００８】
また、請求項３記載の汚泥の脱臭方法は、泥炭と米糠を混合させて発酵させた発酵体を汚泥に混合させて汚泥の悪臭を軽減するものである。
【発明の効果】
【０００９】
請求項１記載の堆肥の製造方法によれば、泥炭と米糠を混合させて発酵させ、製造された堆肥は、堆肥病原抑止力(Pathogen. SuppresiveValue (PSV))の効果を有する。
【００１０】
また、請求項２記載の堆肥の製造方法によれば、泥炭と米糠を混合させて発酵させ、製造された土地改良材は、堆肥病原抑止力(Pathogen. SuppresiveValue (PSV))の効果を有する。
【００１１】
また、請求項３記載の汚泥の脱臭方法によれば、泥炭と米糠を混合させて発酵させた発酵体を汚泥に混合させて汚泥の悪臭を軽減することができる。
【発明を実施するための形態】
【００１２】
泥炭と米糠を混合させて約１ヶ月程度、発酵させて堆肥（土地改良材）を製造した。
泥炭と米糠の混合は、容積比で１：１（望ましくは、泥炭を米糠より多く、より望ましくは、容積比で泥炭：米糠＝７：３）である。
【００１３】
上記で得られた堆肥（土地改良材）[以下「本実施例」という。]を１０ｇを滅菌水９０ｍｌに入れ３０分振とう後、調査した。
比較例として畜糞と泥炭を混合して得られた南榛原開発株式会社製スーパーエコ堆肥（以下「比較例」という）を用いた。
１、糸状菌及び色耐菌はローズベンガル寒天培地、放射菌及び細菌はエッグアルブミ      ン寒天培地を用いて希釈は平板法により計数した。
２、ｐＨ、ＥＣ測定
上記振とう液を用いて測定した。
３、病原抑止力測定
ＹＰＭＧ培地に試験区のサンプルを濃度ごとに塗布し、メロンつる割れ病病原性      フザリウムが培養された５ｍｍ平方の寒天を培地の中央に乗せ３０℃で培養する。
フザリウム菌の成長阻害度を判定するため、コロニーの直径（最長・最短）の長さ      を計測した。培養期間は一週間である。
【００１４】
測定結果は、下記の通りとなった。
本実施例の糸状菌は、７．５×１０6 、比較例の糸状菌は、５．０×１０3、
本実施例の色耐菌は、１．０×１０5 、比較例の色耐菌は、検出されず、
本実施例の放線菌は、検出されず    、比較例の放線菌は、３．０×１０5、
本実施例の細菌は、  ８．１×１０5 、比較例の細菌は、５．０×１０7
であった。なお、糸状菌〜細菌の値は、ＣＦＵ／ｇ土壌である。
本実施例のｐＨは、５．８５×１０6 、比較例のｐＨは、８．１４、
本実施例のＥＣ（ｍＳ／ｃｍ）は、１．３６ 、比較例のＥＣ（ｍＳ／ｃｍ）は、５．１８であった。
2014214059.tif 000002
2014214059.tif 000003
【００１５】
上記のことから、
微生物性・・・本実施例のものの糸状菌は１０6オーダー、細菌は１０5オーダー、放                  線菌は検出されなかった。
比較例のものの糸状菌は１０3オーダー、放線菌は１０5オーダー、細                  菌は１０7オーダーであった。
病原抑止力・・・本実施例のものについては、１０6希釈液までフザリウム菌の伸長                    が僅かしか確認されず、フザリウム菌に対する病原抑止能力が高か                    った。
これは、糸状菌による抑制が大きいことに起因すると考えられる。
比較例のものについては、１０2希釈液まではフザリウム菌の伸長                    が短く、１０4希釈液以上は徐々に病原抑止能力が低下していった                    。
【００１６】
また、泥炭と米糠（容積比  泥炭：米糠＝７：３）を混合させて発酵させた発酵体３ｍ3を汚泥３ｍ3に混合させたところ、汚泥の悪臭を軽減することができた。
(57)【要約】【課題】ブラジャーやインナーウエアーに胸パッドを装着時、前かがみになったり、しゃがんだり、運動などをすると、胸部の位置からずれたり、落ちたりして、胸パッドを安定して装着することは不可能だった。本発明は安定して装着可能な胸パッドを提供することを目的とする。【解決手段】表面の中央に面ファスナー雄部を接着した胸パッドを形成する。使用時においては、ブラジャーやインナーウエアーのバスト部位に本発明の胸パッドに対応する面ファスナー雌部を接着する。【選択図】図２
2014214412.tif 000002
【特許請求の範囲】
【請求項１】
表面の中央に面ファスナー雄部を接着した胸パッドを形成し、使用時においてはブラジャーやインナーウエアーのバスト部位に本発明の胸パッドに対応する面ファスナー雌部を接着することを特徴とする胸パッド。
【発明の詳細な説明】
【技術分野】
【０００１】  本発明は、ブラジャーやインナーウエアーに装着する胸パッドに関するものである。
【背景技術】
【０００２】  従来、胸パッドを装着するには、ブラジャーやカップ付きインナーウエアーと、バストの間に挟んで利用していた。
バスト部位とブラジャーに挟むパッドが知られている（特許文献１参照）。
【先行技術文献】
【特許文献】
【０００３】
【特許文献１】  特開２０１２−２３３２８７号公報
【発明の概要】
【発明が解決しようとする課題】
【０００４】  ブラジャーやインナーウエアーに胸パッドを装着時、前かがみになったり、しゃがんだり、運動等をすると胸の位置からずれたり落ちたりする。パッドを安定して装着することは不可能だった。
本発明は以上の問題点を解決するものである。
【課題を解決するための手段】
【０００５】  表面の中央に面ファスナー雄部を接着した胸パッドを形成する。使用時においてはブラジャーやインナーウエアーのバスト部位に本発明の胸パッドに対応する面ファスナー雌部を接着する。
以上の構成による胸パッド。
【発明の効果】
【０００６】  従来、不安定とされてきた胸パッドの装着を、本発明により安定して装着することができる。
本発明は、バストの矯正だけでなく、乳がんの手術をした女性に、安定した胸パッドを提供することができる。
【図面の簡単な説明】
【０００７】
【図１】本発明の分解斜視図
【図２】本発明の使用状態を示す斜視図
【図３】本発明の使用状態を示す側面の斜視図
【発明を実施するための形態】
【０００８】  以下、本発明の実施の形態を説明する。
（イ）表面の中央部に円形又は楕円形の面ファスナー雄部（２）を接着した胸パッド（１）を形成する。
（ロ）ブラジャーやインナーウエアーの胸部に、前記面ファスナー雄部（２）に対応する面ファスナー雌部（３）を設け接着する。
本発明は以上のような構造である。
本発明を使用する時は、インナーウエアー側に面ファスナー雄部（２）を接着した胸パッド（１）と、面ファスナー雌部（３）をブラジャーやインナーウエアーのバスト部位の適所の位置に接着して装着する。
胸パッド（１）のインナーウエアー側に接着した面ファスナー雄部（２）とブラジャーやインナーウエアーに接着した面ファスナー雌部（３）を噛み合わせることで胸パッドが安定して、胸部からずれたり落ちたりしない。
【符号の説明】
【０００９】１、胸パッド  ２、面ファスナー雄部、  ３、面ファスナー雌部、
【図１】
2014214412.tif 000003
【図２】
2014214412.tif 000004
【図３】
2014214412.tif 000005
(57)【要約】【目的】染色によって着色されたフッ素樹脂を提供する。【構成】フッ素樹脂を分散染料と均染剤、消泡剤が添加された染色液中に浸漬し１８０℃から２００℃の温度で２０分から３０分間染色する。つぎに、１００℃から１２０℃の還元洗浄液中にて還元洗浄を行い、染色によって着色されたフッ素樹脂を得ることを特徴とする。【特許請求の範囲】
【請求項１】
フッ素樹脂を染料、薬品を用いて染色し、着色されたフッ素樹脂を得る方法である。
【発明の詳細な説明】
【発明の詳細な説明】
【産業上の利用分野】
【０００１】この発明は、フッ素樹脂を染色によって着色する方法に関するものである。
【背景技術】
【０００２】従来、フッ素樹脂の染色は困難とされてきた。フッ素樹脂の着色には塗装による方法もあるが、塗装された塗膜ははがれ易く弱いものである。
【発明が解決しようとする課題】
【０００３】これには、次のような欠点があった。
（イ）染色による着色が困難であるので、自然色（白色）しか利用できない。
（ロ）塗装は塗膜の強度が弱いためはがれ易く耐久性に欠いたものである。
本発明は、これらの欠点を除くためになされたものである。
【課題を解決するための手段】
【０００４】フッ素樹脂を分散染料と、均染剤、消泡剤が添加された染色液に浸漬し、染色液の温度を低くて１８０℃、好ましくは２００℃まで昇温し、２０分から３０分間染色する。染色後、還元剤、ソーピング剤、アルカリ剤が添加された還元洗浄液に浸漬し、１００℃から１２０℃までの温度で約１０分から２０分間、還元洗浄を行う。
後、よく水洗し、乾燥する。
この場合のフッ素樹脂とは、四フッ化エチレン樹脂（ＰＴＦＥ、ＴＦＥ）及び四フッ化エチレンペルフルオロアルコキシビニルエーテル共重合体（ＰＦＡ）などのフッ素樹脂の種類の中でも耐熱性にすぐれたフッ素樹脂をさす。
また、分散染料とはポリエステル繊維染色用の分散染料であり、均染剤とはアニオン性の界面活性剤であり、消泡剤とはシリコン系または非シリコン系の繊維染色用の染色助剤である。また、還元剤とはハイドロサルファイト、二酸化チオ尿素などの還元剤をさし、ソーピング剤は非イオンまたはアニオン系の界面活性剤であり、幾らかのアルコール類を含んだタイプのものが好ましい。また、アルカリ剤とは苛性ソーダ、ソーダ灰、アンモニア水などのアルカリ助剤をいう。
本発明は、以上のような構成よりなるフッ素樹脂の染色による着色方法である。
【作用】
【０００５】分散染料、均染剤、消泡剤が添加された染色液にフッ素樹脂を浸漬し、１８０℃以上好ましくは２００℃まで昇温し、２０分から３０分間染色を行う。
分散染料が樹脂の表面から内部に拡散浸透し、フッ素樹脂は染料により染色される。
次に、１００℃より１２０℃の還元洗浄液にて１０分から２０分間還元洗浄を行い、樹脂表面に残った分散染料を分解、脱落せしめる。あと、よく水洗、乾燥する。
【実施例】
【０００６】以下、本発明の実施例について説明する。
（イ）切削加工により成形されたフッ素樹脂（ＰＴＦＥ）、直径１２ｍｍ×長さ５８ｍｍの円筒形のもの、厚さ１５ｍｍ×たて７０ｍｍ×よこ３５ｍｍの形のものを、ダイヤニックスエロー  ＡＣＥ  １ｇ、及びアニオン系の均染剤１ｇ／Ｌ、消泡剤０．５ｇ／Ｌを添加した３００ｍＬの染色液中に浸漬し１８０℃まで昇温して３０分間染色を行う。染色後冷却して排液する。次に、二酸化チオ尿素１ｇ／Ｌ、非イオン界面活性剤（アルコール類を含むタイプ）２ｇ／Ｌ、ソーダ灰１ｇ／Ｌを添加した３００ｍＬの還元洗浄液中にて１１０℃で１５分間還元洗浄を行った。あと水洗、乾燥した。黄色に着色されたフッ素樹脂が得られた。
（ロ）切削加工により成形されたフッ素樹脂（ＰＴＦＥ）、直径１２ｍｍ×長さ５８ｍｍの円筒形のものを、ダイヤニックス  レット  ＡＣＥ  １ｇ及びアニオン系の均染剤１ｇ／Ｌ、消泡剤１ｇ／Ｌの添加された２００ｍＬの染色液中に浸漬せしめ２００℃にて３０分間染色を行う。染色後冷却して排液する。あと、二酸化チオ尿素１ｇ／Ｌ、非イオン界面活性剤（アルコールを含むタイプ）２ｇ／Ｌ、苛性ソーダ１ｇ／Ｌを添加した還元洗浄液中にて１２０℃の温度で１５分間還元洗浄を行う。あと、水洗、乾燥する。
赤色に着色されたフッ素樹脂が得られた。
【発明の効果】
【０００７】フッ素樹脂を１８０度から２００度までの染色温度の染色液中に浸漬することにより、フッ素樹脂内部に分散染料が浸透拡散され染色によって着色される。
また、還元洗浄は染色温度より低い１００℃から１２０℃の温度で行うことでフッ素樹脂表面の分散染料を分解脱落することが出来る。
染色によって着色されたフッ素樹脂を得ることによって、従来自然色（白色）しかなかったフッ素樹脂を色分けによっての識別などに利用できる。
(57)【要約】      （修正有）【課題】温度湿度記録計の測定素子は、外気に直接触れた状態で温度・湿度を測定及び記録していた。そのため、温度・湿度測定素子が劣化し、長期間安定した正確な温度・湿度の測定及び記録が困難であった。【解決手段】通気フィルター１を感温・感湿窓２に貼り付けることにより、温度素子・湿度素子が直接外気と接触することを防ぎ、温度素子・湿度素子を保護して劣化を防止し、長期間安定した正確な温度・湿度の測定及び記録が可能となる。【選択図】図１
2014021035.tif 000002
【特許請求の範囲】
【請求項１】
通気フィルターを用い防水・防塵対策を施した温度湿度記録計。
【発明の詳細な説明】
【技術分野】
【０００１】
本発明は、通気フィルターを感温・感湿窓に貼り付けることにより、温度測定素子・湿度測定素子を水分や塵から保護し劣化を防止することで、長期間安定し正確な温度・湿度を測定及び記録するシステムの技術分野に関するものである。
【背景技術】
【０００２】
従来、温度湿度記録計の測定素子は、外気に直接触れた状態で、温度・湿度を測定及び記録していた。
【０００３】
しかしながら、外気に直接触れていたため、水分・塵により温度・湿度測定素子が劣化し、長期間安定し正確な温度・湿度の測定及び記録が困難な状況にあった。
【０００４】
本発明は、これらの問題を解決し、温度・湿度測定素子の劣化を防ぎ、長期間安定し正確な温度湿度を測定及び記録するものである。
【発明の概要】
【０００５】
温度湿度記録計の感温・感湿窓に通気フィルターを貼り付けることにより、温度・湿度測定素子を水分・塵から保護し、劣化を防ぎ長期間安定し正確な温度・湿度を測定及び、記録することが可能な温度湿度記録計。
【発明が解決しようとする課題】
【０００６】
解決しようとする課題は、温度・湿度を測定記録するために、感温・感湿窓が開いており、直接外気が温度・湿度測定素子と接触する構造のため、水分・塵の影響を受け、温度・湿度測定素子が劣化し、長期間安定し正確な温度・湿度の測定及び記録することが困難な構造であった。
【０００７】
しかしながら、温度・湿度測定素子が直接外気に触れていないと正確な温度・湿度を測定及び記録することが困難であった。
【課題を解決するための手段】
【０００８】
本発明は、感温・感湿窓に通気フィルターを貼り付けることにより、温度・湿度測定素子が直接外気と接触することを防ぎ、水分・塵から温度・湿度測定素子を保護し劣化を防ぐことを主要な特徴とする。
【発明の効果】
【０００９】
本発明は、通気フィルターを感温・感室窓に貼り付けることにより、温度・湿度測定素子を保護し劣化を防ぐため、長期間安定し正確な温度・湿度を測定及び記録するという利点がある。
【図面の簡単な説明】
【００１０】
【図１】は、温度湿度記録計に通気フィルターの貼付を示した解説図である。
【発明を実施するための形態】
【００１１】
通気フィルターを感温・感窓に貼り付けることにより、温度・湿度測定素子を保護し、使用環境を選ばず、どのような環境でも温度・湿度を測定及び記録することを実現した。
【実施例】
【００１２】
通気フィルターを感温・感湿窓に貼り付けることにより、測定素子を保護し、水中・高湿・埃、塵が多い環境下での温度湿度測定及び記録する。
【産業上の利用の可能性】
【００１３】
高湿環境下での温度・湿度測定及び記録。
【００１４】
雨天対策が施されていない環境下での温度・湿度測定及び記録。
【００１５】
埃・塵が多い環境下（切削・研磨作業場等）での温度・湿度測定及び記録。
【符号の説明】
【００１６】
１：通気フィルター
2:感温感湿窓
【図１】
2014021035.tif 000003
(57)【要約】【課題】  女性のおしゃれアイテム髪留めカチューシャ髪飾りとして、老眼鏡、拡大鏡を兼ね備え、頭上の髪から顔面両眼の前に合わせ小さな文字や細かな物を見るなど直ぐに使える、老眼鏡付きカチューシャ髪飾り、おしゃれ便利アイテムを提供する。【解決手段】  眼鏡の形状を髪留め、カチューシャ髪飾りの中央から両耳上部へ向かう部分、頭上の髪を押さえ止める湾曲した形状の中央から両サイドに向かい、老眼レンズ、または、拡大鏡を組み込み固定し、宝飾部品、多種素材部品と一体化、顔に当てたとき、両眼の視野の妨げにならないデザイン装飾部品の配置を条件に老眼レンズ、拡大鏡をデザインのメインに置き作ることを特徴とする、髪留め髪飾りとしての装着、必要時の眼鏡を兼ね備えた髪留め、カチューシャ髪飾り付き眼鏡。【選択図】図１
2014021483.tif 000002
【特許請求の範囲】
【請求項１】
眼鏡の形状を髪留め、カチューシャ髪飾りの中央から両耳上部へ向かう部分、頭上の髪を押さえ止める湾曲した形状の中央から両サイドに向かい、老眼レンズ、または、拡大鏡を組み込み固定し、宝飾部品、多種素材部品と一体化、顔に当てたとき、両眼の視野の妨げにならないデザイン装飾部品の配置を条件に老眼レンズ、拡大鏡をデザインのメイン置き作ることを特徴とする、髪留め髪飾りとしての装着、必要時の眼鏡を兼ね備えた髪留め、カチューシャ髪飾り付き眼鏡。
【発明の詳細な説明】
【技術分野】
【０００１】  この発明は、髪留めカチューシャ髪飾りに、たとえば、老眼鏡のレンズ、または、拡大鏡を組み込み固定したカチューシャ髪飾り付き眼鏡に関するものである。
【背景技術】
【０００２】  従来、眼鏡、老眼鏡といえば、両用で常に身に付けて使用するか、必要なときに顔面に付けるものであった。（特許文献１参照）。
また、カチューシャ髪飾りとしてのアイテムを、めがねを支え具として使用するための突起付きのものであった。（特許文献２参照）。
先願にあるカチューシャに眼鏡を取り付けたものも、デザインも、構造も突起しているため、常時付けて居られるものではなかった。（特許文献３参照）。
【先行技術文献】
【特許文献】
【０００３】
【特許文献１】  特開平５−３２３２４０号公報
【特許文献２】  特開平８−３０４７４８号公報
【特許文献３】  実用新案登録第３０２５０４０号公報
【発明の概要】
【発明が解決しようとする課題】
【０００４】  そのために、次のような問題点があった。
（イ）両用で老眼兼用の眼鏡であっても、レンズの上部、下部のレンズの目的が異なるため使用しにくく、常時、装着は慣れていても疲れるものであり、老眼鏡を単独で使用するときにケース、バックから取り出したり、保管場所まで取りに行ったりの不便さが欠点であった。
（ロ）本来、髪留めカチューシャは、髪飾りとしてのおしゃれアイテムでもあり眼鏡を付けるためだけの１アイテムでは、髪を飾る目的に満たない欠点があった。
また、他のデザインのカチューシャと眼鏡、老眼鏡をかけると耳上部に髪止めの両先端と眼鏡、老眼鏡が重なり見栄えも悪く耳に当てる部分が重なり、痛く、カチューシャと老眼鏡を２つ使用する不便さを解決する。
両方の利点を兼ね備えた、カチューシャ髪飾りが、そのまま、すぐに老眼鏡という発明は、以上のような欠点をなくすためになされたものである。
【課題を解決するための手段】
【０００５】  眼鏡の形状を髪留め、カチューシャ髪飾りの中央から両耳上部へ向かう部分、頭上の髪を押さえ止める湾曲した形状の中央から両サイドに向かい、老眼レンズ、または、拡大鏡を組み込み固定し、宝飾部品、多種素材部品と一体化、顔に当てたとき、両眼の視野の妨げにならないデザイン装飾部品の配置を条件に老眼レンズ、拡大鏡をデザインのメイン置き作ることを特徴とする、髪留め髪飾りとしての装着、必要時の眼鏡を兼ね備えた髪留め、カチューシャ髪飾り付き眼鏡。
【発明の効果】
【０００６】  カチューシャ髪飾り老眼鏡としての使用の形状のため、顔面におろしたときに湾曲しているために女性の化粧が眼鏡を使用するときのように、崩れることが少ない。
眼鏡の跡もつかない、必要なときだけ髪からずらし、すぐに使用可能で、慌てて探し装着することもなく、常に髪につけ、おしゃれアイテム兼老眼レンズ、拡大鏡が一体化されているため、レンズの透明感もカチューシャに付属されるクリスタルな宝飾部品とも相性も良く、デザインしやすい組み合わせである。
【発明を実施するための形態】
【０００７】  以下、本発明を実施するための形態について説明する。
（イ）髪留めカチューシャ髪飾り（２）は、カーブ湾曲形状のため、頭上から顔面におろしたとき、両眼の位置部分に必ず老眼レンズ（１）、拡大鏡（１）が配置されるように、クリスタルな宝飾部品（４）をプラスしたデザインにレンズを組込み一体化して固定する。
（ロ）老眼鏡、シニアグラスとして顔面にあて使用するときに顔面の当たりをソフトになるように両サイドに顔の大きさ、頭の大きさに合わせ調整可能なように、シリコン他スライド可能部品のずれ防止（３）を付け、ずれ防止をサイドでおこなう。
（ハ）髪留めカチューシャ髪飾り（２）のデザインの加工をするとき、視界を妨げないデザインであれば、宝飾部品（４）をプラスした多種多様な部品（５）で、素材のデザイン加工が可能である。
カチューシャ髪飾り眼鏡の中央から両サイド両耳方向に、約７ｃｍから約１０ｃｍの両眼の位置に老眼レンズ、拡大鏡レンズがくるよう、又カチューシャを顔面におろし両眼にあわせた時にガラスレンズ、アクリルレンズの形や大きさを問わず宝飾部品も、カチューシャのデザイン設計時に視界を妨げないように注意し成型、宝飾品もデザインが視界を妨げとならないよう作る。
【図面の簡単な説明】
【０００７】
【図１】  本発明の斜視図である。
【図２】  本発明の実施例を示した斜視図である。
【図３】  本発明の別のデザインの説明図である。
【図４】  本発明の別のデザインの説明図である。
【符号の説明】
【０００８】１  老眼レンズ、拡大鏡
２  髪留めカチューシャ髪飾り
３  ずれ防止
４  宝飾部品
５  多種多様な部品
【図１】
2014021483.tif 000003
【図２】
2014021483.tif 000004
【図３】
2014021483.tif 000005
【図４】
2014021483.tif 000006
(57)【要約】【課題】従来のレンズでは光源付近の輝度と光源から離れた輝度では輝度の違いが生じていた。また、光の３原色（赤Ｒ、青Ｂ、緑Ｇ）を用いた光源（以下ＲＧＢ光源）では光源に近い程、光の混合が適切に行われていなかった。【解決手段】レンズを１枚、もしくは２枚以上重ねたレンズの円周と同等の円筒の底にレンズを配置し、円筒内部において臨界反射の効果が得られるようにする。さらに、配置した円筒底、または反対上部側に半透明の拡散板を設け、多方向に拡散を促す【選択図】図１
2014021480.tif 000002
【特許請求の範囲】
【請求項１】
光むらを改善する、臨界反射と光拡散の効果を生む円筒と拡散板を配設するレンズ
【発明の詳細な説明】
【技術分野】
【０００１】本発明は光の均一な拡散化を図ったレンズに関する。
【背景技術】
【０００２】従来のレンズでは光源付近の輝度と光源から離れた輝度では輝度の違いが生じていた。また、光の３原色（赤Ｒ、青Ｂ、緑Ｇ）を用いた光源（以下ＲＧＢ光源）では光源に近い程、光の混合が適切に行われていなかった。
【発明の概要】
【発明が解決しようとする課題】
【０００３】光源付近の輝度と光源から離れた輝度の平均化を図る、また、ＲＧＢ光源において各色の混合を助長する。
【課題を解決するための手段】
【０００４】レンズを１枚、もしくは２枚以上重ねたレンズの円周と同等の円筒の底にレンズを配置し、円筒内部において臨界反射の効果が得られるようにする。【０００５】配置した円筒底、または反対上部側に半透明の拡散板を設け、多方向に拡散を促す。
【発明の効果】
【０００６】上述したように本発明のレンズは光源付近の輝度と光源から離れた輝度の差を均一化し、ＲＧＢ光源の光の混合を助長するものである。
【図面の簡単な説明】
【０００７】
【図１】本発明のレンズ外観図
【符号の説明】
【０００８】１、拡散板
２、円筒
３、レンズ
４、光源
【図１】
2014021480.tif 000003
(57)【要約】【課題】  キーボードが低い位置にある場合でも通常と同様に入力することを可能とする。【解決手段】  キーボードの裏面の手前側に出し入れすることにより角度調整可能な脚を搭載し、その脚を出すことにより、手前が高くなる様に構成したことを特徴とするキーボード。【選択図】図１
2014021957.tif 000002
【特許請求の範囲】
【請求項１】
キーボードの裏面の手前側に出し入れすることにより角度調整可能な脚を搭載し、その脚を出すことにより、手前が高くなる様に構成したことを特徴とするキーボード。
【発明の詳細な説明】
【技術分野】
【０００１】  本発明はキーボードが低い位置にある場合にも入力がしやすくなる、手前が高くなるように角度をつけられるキーボードに関するものである。
【背景技術】
【０００２】  従来、キーボードは机に置いて使用するものである。そのため、キーボードは机と平行となるか、キーボードの裏面の前方側から脚を出し、前方を高くして角度をつけることもできるのが通常のキーボードである。
【発明の開示】
【発明が解決しようとする課題】
【０００３】  そのために次のような問題点があった。
（イ）立ったまま机の上に置いてあるキーボードで入力作業を行う際、キーボードに対する手の角度に無理が生じ、入力が困難になったり無理な体勢で入力を行う必要があった。
本発明は以上の問題点を解決しようとするものである。
【課題を解決するための手段】
【０００４】  上記問題点を解決するため本発明は、キーボード裏面の手前側にも出し入れ可能な脚を搭載し、その脚を出すことによりキーボードの手前が高くなるようにしたものである。
【発明の効果】
【０００５】  キーボードの手前が高くなることにより、キーボードの位置が低い場合でも、手とキーボードの角度が平行に近くなり、入力する姿勢に無理が生じなくなる。
【発明を実施するための最良の形態】
【０００６】以下、本発明の実施の形態について説明する。
（イ）脚（２）の片側に支点（３）を設ける
（ロ）キーボード本体（１）の裏面手前側の両端に、脚（２）を支点（３）により装着す      る
（ハ）脚（２）を出した際は、適切な角度で固定され、安定するようにする。
【図面の簡単な説明】
【０００７】
【図１】  本発明の斜視図である。
【図２】  本発明の、脚を閉じた際の側面図である。
【図３】  本発明の、脚を出した際の側面図である。
【図４】  本発明の使用状態を示した斜視図である。
【符号の説明】
【０００８】  １  キーボード本体
２  脚
３  支点
【図１】
2014021957.tif 000003
【図２】
2014021957.tif 000004
【図３】
2014021957.tif 000005
【図４】
2014021957.tif 000006
(57)【要約】      （修正有）【課題】音が鳴る際に匂いが拡散されるりんを提供する。【解決手段】鋳物のりん本体１に、香料２を塗布、もしくは、含浸させる。【選択図】図１
2014021219.tif 000002
【特許請求の範囲】
【請求項１】
りん本体に香料を付帯させたりん
【請求項２】
請求項１の付帯の形態がりん本体に香料を塗布もしくは、りん本
体に香料を含浸させたことを特徴とした請求項１に記載のりん
【請求項３】
りん本体が金属であって鋳物であることを特徴とした請求項１
または、請求項２に記載のりん
【発明の詳細な説明】
【技術分野】
【０００１】
本発明は音だけでなく香りも有するりんに関する。
【背景技術】
【０００２】
従来の音だけでなく香りを有するりんとしては、特開２００６−３１７６２５にみられる
ように、音がなるりん本体に打鈴するための玉の形態のものが提案されている。
【０００３】
この発明による香りを有する手段として、玉に香料をしみ込ませて、香りと音を楽しむ形
態としている。
【先行技術文献】
【特許文献】
【０００４】
【特許文献１】特開２００６−３１７６２５
【発明の概要】
【発明が解決しようとする課題】
【０００５】
しかしながら、玉が鈴本体の内部にあることにより、香料が無くなったときに補充しづ
らいし、香りの発散が限られるといった問題点があった。この問題点をできるだけ軽減
した、音が鳴る際に匂いが少なからず拡散されるりんが本発明の課題である。
【課題を解決するための手段】
【０００６】
打鈴され、振動することで、音がなるりん本体に香料を付帯させたりんとした。
【０００７】
香料を付帯させる具体的様態として、りん本体にオイル香料などを塗布した形態、りん本
体に香料を含浸させた形態である。もちろん両方兼ね備えた形態であってもよい。
つまり、りん本体に香料を塗布もしくは、りん本体に香料を含浸させたりんとした。
【発明の効果】
【０００８】
上記課題が払拭される。香料のメンテナンスが、香料を塗布するなどの行為によって、
簡便になる。
【０００９】
さらには、音が鳴る際に、りん本体の直接の振動によって、香りが拡散されるために、
音を鳴らすと同時に香りの拡散を楽しめて、心地よい五感に訴える効果が期待できる。
【発明を実施するための形態】
【００１０】
本発明の具体的な形態の実施例を図面に基づいて説明する。図１の図面は説明見取り図で
ある。ここに提示した形態は、りん棒などによって、打鈴されることによって、音が鳴る
概略お椀状のリん本体（１）からなる。りん本体（１）は金属でできている。
このリん本体（１）に香料（２）を内外の表面に塗布したり、あるいはリん本体（１）に
香料（２）を含浸させた形態とする。
【実施例】
【００１１】
実施例として、りん本体（１）に青銅による鋳物からなるものを利用した。これに香料
（２）として香料オイルを塗布し、１２時間ほど、りん本体（１）しみ込ませて、もち
いた。これにより、音を鳴らすつどに、ほのかな香りを匂いたつ。
【００１２】
この発明において、青銅による鋳物によると、鋳物固有の金属間の隙間が存在しており、
その空間に香料（２）が程よくしみ込むため、とても好適である。この浸透方法において、
圧力を減圧、加圧によって深く含浸させる方法によると、長く匂いが長持ちする。
【図面の簡単な説明】
【００１３】
【図１】本発明の実施例の説明見取り図である。
【符号の説明】
【００１４】
１  りん本体
２  香料   
【図１】
2014021219.tif 000003
(57)【要約】【課題】膨張弁の弁室に流入する高圧の液冷媒の流れの乱れに起因する騒音を防止する。【解決手段】膨張弁１ａは弁本体１０に設けられる高圧の液冷媒が供給される入口ポート２０を有する。冷媒は小径部２１を介して弁室２２に流入し、弁体６０と弁座２４の弁通路を通り、オリフィス２６、出口ポート２８からエバポレータへ送られる。弁体駆動装置４０は、作動棒５０を介して弁体６０を操作して弁開度を制御する。弁体６０はばね受け１００を介して付勢ばね８０により支持される。ばね受け１００は、付勢ばね８０の内部に挿入される円柱状の垂下体１１０を備え、冷媒が付勢ばね８０の内部に流入するのを防止する。この作用により冷媒の流れの乱れは防止され、騒音の発生原因は除去される。【選択図】図１
2014238206.tif 000002
【特許請求の範囲】
【請求項１】
コンデンサで凝縮した高圧の冷媒を導入する入口ポート、該入口ポートに連通する弁室、該弁室に設けられたオリフィス、該オリフィスで膨張した冷媒を外部に向けて導出する出口ポート及びエバポレータからコンプレッサへ戻る冷媒が通過する通路を有する弁本体と、前記オリフィスを開閉する弁体と、前記弁体を駆動して前記オリフィスの開度を制御する弁体駆動装置と、前記弁体を前記オリフィスに向けて付勢するように前記弁室内に配置される付勢ばねとを備える膨張弁であって、
前記付勢ばねと前記弁体との間には、前記付勢ばねのばね力を前記弁体に伝えるように介在するばね受けが設けてあり、
前記ばね受けには、前記付勢ばねの内側空間を閉塞する円柱状の垂下体が備わっていることを特徴とする膨張弁。
【発明の詳細な説明】
【技術分野】
【０００１】
本発明は、冷凍サイクルに用いられる感温式の膨張弁に関する。
【背景技術】
【０００２】
従来、自動車に搭載される空調装置等に用いる冷凍サイクルについては、設置スペースや配管を省略するために、冷媒の通過量を温度に応じて調整する感温式の温度膨張弁が使用されている。
【０００３】
図２はこの種の膨張弁の従来構造を示し、（ａ）は縦断面図、（ｂ）は（ａ）のＡ−Ａ断面図である。
膨張弁１は弁本体１０を有し、弁本体１０には、コンプレッサ側から供給される高圧の冷媒が導入される入口ポート２０が設けられ、入口ポート２０は小径部２１を介して弁室２２に連通する。入口ポート２０には弁体６０により開閉される弁座２４が形成され、弁座２４と弁体６０により流量が制御された冷媒はオリフィス２６を通り、出口ポート２８からエバポレータ側へ送り出される。
【０００４】
エバポレータからコンプレッサ側へ戻る冷媒は、弁本体１０に設けられる戻り通路３０を通過する。戻り通路３０を通過する冷媒は開口部３２を介して弁体駆動装置４０側へ侵入し、冷媒の温度情報を弁体駆動装置４０側へ伝達する。
弁体駆動装置４０は作動流体が封入される作動圧力室を有し、圧力の変動はダイアフラムの変位に変換されて作動棒５０に伝達される。
【０００５】
作動棒５０は弁体６０を操作して弁開度を制御する。球状の弁体６０はばね受け７０により支持される。ばね受け７０は弁室２２を封止するプラグ９０との間に設けられる付勢ばね８０により支持される。プラグ９０はナット状の部材であって、そのねじ込み量を調節することで、弁体６０の閉弁方向の付勢力を調整することができる。
この種の膨張弁は下記の特許文献１に開示されている。
【先行技術文献】
【特許文献】
【０００６】
【特許文献１】特開２０１２−４７３９３号公報
【発明の概要】
【発明が解決しようとする課題】
【０００７】
上述した従来の膨張弁１にあっては、小径部２１から弁室２２に導入される高圧の液冷媒は付勢ばね８０の隙間を通って内側のばね内部空間８２に流入して流れが乱れ、騒音の発生原因となっていた。
そこで本発明の目的は、上述した不具合を解消する膨張弁を提供することにある。
【課題を解決するための手段】
【０００８】
上記目的を達成するために本発明の膨張弁は、コンデンサで凝縮した高圧の冷媒を導入する入口ポート、該入口ポートに連通する弁室、該弁室に設けられたオリフィス、該オリフィスで膨張した冷媒を外部に向けて導出する出口ポート及びエバポレータからコンプレッサへ戻る冷媒が通過する通路を有する弁本体と、前記オリフィスを開閉する弁体と、前記弁体を駆動して前記オリフィスの開度を制御する弁体駆動装置と、前記弁体を前記オリフィスに向けて付勢するように前記弁室内に配置される付勢ばねとを備え、前記付勢ばねと前記弁体との間には前記付勢ばねのばね力を前記弁体に伝えるように介在するばね受けが設けてあり、前記ばね受けには前記付勢ばねの内側空間を閉塞する円柱状の垂下体が備わっていることを特徴とする。
【発明の効果】
【０００９】
本発明の膨張弁は以上の構成を備えることにより、冷媒がばねの隙間からばねの内部空間に流入することがなく、流れの乱れにより発生する騒音が防止される。
【図面の簡単な説明】
【００１０】
【図１】本発明の膨張弁の好適な一実施形態を示し、（ａ）は縦断面図、（ｂ）は（ａ）のＡ−Ａ断面図である。
【図２】従来の膨張弁の構造を示し、（ａ）は縦断面図、（ｂ）は（ａ）のＡ−Ａ断面図である。
【発明を実施するための形態】
【００１１】
本発明の膨張弁の好適な一実施形態について図１を参照しつつ説明する。
【００１２】
本発明の膨張弁１ａについては、図２で説明した従来構造の膨張弁１と同様の構成については同じ符号を付して詳細な説明は省略する。
【００１３】
本発明の膨張弁１ａも弁室２２内に配設される弁体６０をばね受け１００を介して付勢ばね８０で支持する構成を有する。
【００１４】
このばね受け１００は円柱状の垂下体１１０を有し、垂下体１１０は付勢ばね８０の内側の空間を閉塞する。ばね受け１００の円柱状の垂下体１１０は、少なくとも小径部２１の開口の下端部よりもプラグ９０側に伸びる長さ寸法を有する。この垂下体１１０の存在によって小径部２１から弁室２２内に流入する高圧の液冷媒が、付勢ばね８０の内部に流入することが防止され、冷媒の流れは乱れることなくスムーズに弁座２４側へ送られる。
【００１５】
この作用により、弁室２２内における高圧の液冷媒の流れの乱れの発生が防止され、乱れによる騒音の発生原因が除去できる。
【００１６】
本発明の膨張弁１ａは以上のように、付勢ばねの内側に挿入される円柱状の垂下体１１０を有するばね受け１００を備えることで、簡素な構成により冷媒の通過音を低減することができる。
【符号の説明】
【００１７】
１，１ａ  膨張弁
１０  弁本体
２０  入口ポート
２１  小径部
２２  弁室
２４  弁座
２６  オリフィス
２８  出口ポート
３０  戻り通路
３２  開口部
４０  弁体駆動装置
５０  作動棒
６０  弁体
７０  ばね受け
８０  付勢ばね
８２  ばね内部空間
９０  プラグ
１００  ばね受け
１１０  垂下体
【図１】
2014238206.tif 000003
【図２】
2014238206.tif 000004
(57)【要約】      （修正有）【課題】冷凍サイクルの冷媒を減圧するとともに冷媒流量を制御する膨張弁の騒音低減を図る。【解決手段】膨張弁の弁本体１０には、高圧の冷媒が送り込まれる入口ポートと出口ポートが設けられ、弁室には弁座の開度を制御する弁体が設けられている。出口ポートには、上半分に小孔１２０が、下半分に半円弧状の開口部１１０を有する整流板１００が固定されてエバポレータ側へ流出する冷媒を整流し、気泡の破裂に起因する騒音を低減する。【選択図】図２
2014238207.tif 000002
【特許請求の範囲】
【請求項１】
コンデンサで凝縮した高圧の冷媒を導入する入口ポート、該入口ポートに連通する弁室、該弁室に設けられたオリフィス、該オリフィスで膨張した冷媒を外部に向けて導出する出口ポート及びエバポレータからコンプレッサへ戻る冷媒が通過する通路を有する弁本体と、前記オリフィスを開閉する弁体と、前記弁体を駆動して前記オリフィスの開度を制御する弁体駆動装置とを備える膨張弁であって、
前記出口ポートには整流板が備わっており、
前記整流板は、出口ポートの下半分に対向する半円弧状の開口部と、上半分に対向する多数の小孔とを備える
ことを特徴とする膨張弁。
【請求項２】
前記オリフィスを通過する冷媒に含まれるガス冷媒は前記整流板の手前で一時滞留し、当該ガス冷媒が前記小孔を介して小気泡に細分化されて流動することを特徴とする請求項１記載の膨張弁。
【発明の詳細な説明】
【技術分野】
【０００１】
本発明は、冷凍サイクルに用いられる感温式の膨張弁に関する。
【背景技術】
【０００２】
従来、自動車に搭載される空調装置等に用いる冷凍サイクルについては、設置スペースや配管を省略するために、冷媒の通過量を温度に応じて調整する感温式の温度膨張弁が使用されている。
この種の膨張弁は下記の特許文献１に開示されている。
【先行技術文献】
【特許文献】
【０００３】
【特許文献１】特開２０１２−４７３９３号公報
【発明の概要】
【発明が解決しようとする課題】
【０００４】
この種の膨張弁にあっては、オリフィスを通過して出口ポートからエバポレータヘ向かう冷媒中には膨張時に発生する気泡が含まれる。
特許文献１は、この出口ポートに絞り部材を設けて冷媒を整流して気泡の破裂に起因する騒音を防止する技術が開示されている。
本発明の目的は、この種の膨張弁の更なる改良を図ることである。
【課題を解決するための手段】
【０００５】
上記目的を達成するために、本発明の膨張弁は、コンデンサで凝縮した高圧の冷媒を導入する入口ポート、該入口ポートに連通する弁室、該弁室に設けられたオリフィス、該オリフィスで膨張した冷媒を外部に向けて導出する出口ポート及びエバポレータからコンプレッサへ戻る冷媒が通過する通路を有する弁本体と、前記オリフィスを開閉する弁体と、前記弁体を駆動して前記オリフィスの開度を制御する弁体駆動装置とを備え、前記出口ポートには整流板が備わっており、前記整流板は、出口ポートの下半分に対向する半円弧状の開口部と、上半分に対向する多数の小孔とを備えるものである。
【０００６】
前記オリフィスを通過する冷媒に含まれるガス冷媒は前記整流板の手前で一時滞留し、当該ガス冷媒が前記小孔を介して小気泡に細分化されて流動する。
【発明の効果】
【０００７】
本発明の膨張弁は以上の構成を備えることにより、出口ポートからエバポレータへ向かう冷媒中の気泡は細分化され、気泡の破裂による騒音が低減する。
【図面の簡単な説明】
【０００８】
【図１】本発明の好適な一実施形態に係る膨張弁の縦断面図である。
【図２】同上膨張弁の左側面図である。
【発明を実施するための形態】
【０００９】
図１及び図２に示すように、本発明の膨張弁１は弁本体１０を有し、弁本体１０にはコンプレッサ側から供給される高圧の冷媒が導入される入口ポート２０が設けられ、入口ポート２０は小径部２１を介して弁室２２に連通する。入口ポート２０には弁体６０により開閉される弁座２４が形成され、弁座２４と弁体６０により流量が制御された冷媒はオリフィス２６を通り、小径の出口ポート２７、大径の出口ポート２８を通ってエバポレータ側へ送り出される。
【００１０】
エバポレータからコンプレッサ側へ戻る冷媒は、弁本体１０に設けられる戻り通路３０を通過する。戻り通路３０を通過する冷媒は開口部３２を介して弁体駆動装置４０側へ導入され、冷媒の温度情報を弁体駆動装置４０側へ伝達する。
弁体駆動装置４０はケーシング４１内にダイアフラム４２で画成されて作動流体が封入される作動圧力室４４を有し、圧力の変動はダイアフラム４２の変位に変換されて、受け部材４６を介して作動棒５０に伝達される。
【００１１】
作動棒５０は弁体６０を操作して弁開度を制御する。球状の弁体６０はばね受け７０により支持される。ばね受け７０は弁室２２を封止するプラグ９０との間に設けられる付勢ばね８０により支持される。プラグ９０はナット状の部材であって、そのねじ込み量を調節することで、弁体６０の閉弁方向の付勢力を調整することができる。
【００１２】
出口ポート２８には、整流板１００が取り付けられる。
整流板１００は出口ポート２８に挿入される円盤状の部材であって、下半分には半円弧状の開口部１１０が設けられる。
【００１３】
オリフィス２６を通過した冷媒のうち気泡を含まない比重の大きな液冷媒は、小径の出口ポート２７の下側を流れて、この開口部１１０から大径の出口ポート２８側へ流出し、エバポレータへ向けて送り出される。
【００１４】
気泡を含む比重の小さなガス冷媒は小径の出口ポート２７の上側を流れて整流板１００の上側に突き当って滞留する。そして、気泡は多数の小孔１２０により小気泡に細分化され、大径の出口ポート２８側へ流出する。
【００１５】
この作用により、ガス冷媒中の気泡は小気泡に細分化され、かつ整流されてエバポレータに向けて送り出される。この気泡細分化と整流作用とによりガス冷媒の流れの乱れに起因する騒音は低減する。
【００１６】
本発明の膨張弁１は以上のように、出口ポートの下半分に半円弧状の開口部と上半分に多数の小孔を有する整流板を設けてあるので、ガス冷媒中の気泡は細分化され整流されるので騒音の低減を奏する。
【符号の説明】
【００１７】
１  膨張弁
１０  弁本体
２０  入口ポート
２１  小径部
２２  弁室
２４  弁座
２６  オリフィス
２７  出口ポート（小径部）
２８  出口ポート（大径部）
３０  戻り通路
３２  開口部
４０  弁体駆動装置
４１  ケーシング
４２  ダイアフラム
４４  作動圧力室
４６  受け部材
５０  作動棒
６０  弁体
７０  ばね受け
８０  付勢ばね
８２  ばね内部空間
９０  プラグ
１００  整流板
１１０  開口部
１２０  小孔
【図１】
2014238207.tif 000003
【図２】
2014238207.tif 000004
(57)【要約】      （修正有）【課題】繋ぎ目の間隔が狭いスパイクゴムチェーンを提供する。【解決手段】ネット状に一体で作成したスパイクゴムチェーン１を、タイヤトレッド部に巻き付ける。スパイクゴムチェーンの一方の端部に設けたワイヤ結合金具３にワイヤバンドを通し両端をロック金具で接続し、他方のサイドのワイヤ結合金具３に取り付けたロープ締め付け用金具６通した締め付け用ロープ７を引っ張事で、スパイクゴムチェーンの長手方向の長さを調節し、タイヤにフィットさせワイヤ結合金具に装着したワイヤバンド５の両端をロック金具５で接続してタイヤにスパイクゴムチェーンを装着する。【選択図】図４
2014118134.tif 000002
【特許請求の範囲】
【請求項１】
１  スパイクゴムチェーンの、縦方向の繋ぎ目を無くした、スパイクゴムチェーンをリング状にして振動をちいさくする。
２  リング状で、繋ぎ目を無くした、スパイクゴムチェーンの、両横を引っ張ると、少し大きいリング状の、スパイクゴムチェーンの、縦方向が、小さくなるために、タイヤにフィットする事が、できます。
【請求項２】
１  タイヤに取り付ける時は、最初に、スパイクゴムチェーンの、外側の、締め付け用のロープを、符号６に、通しておいて、リング状の形にした、スパイクゴムチェーンを、タイヤと同じ向きに合わせて、タイヤにかぶせ、内側のバンドのロックをする、それから、外側の、あらかじめ、締め付け用ロープを、符号６に通しておいた、そのロープを、タイヤとスパイクゴムチェーンの、感覚を見ながらロープを引っ張って、ワイヤーバンドのロックが掛かるまで引っ張る、バンドがロックしたなら、締め付け用ロープを外して、走行する、多少のずれは、走行しているうちに、タイヤにフィットして、振動の少ない、安定した安全運転走行ができる。
【発明の詳細な説明】
【技術分野】
【０００１】本発明は、従来のスパイクゴムチェーンでの、運転走行はハンドルに大きく振動がある為に、繋ぎ目の無い、スパイクゴムチェーンを、提供します。
【背景の技術】
【０００２】図１は図２よりも縦方向（外周）の、長さがタイヤの、外周より長い、図２はタイヤの縦方向（外周）が、同じになるよう、両脇を矢印の方向に引っ張ると、横が広がり、縦方向が短くなる、図のＡ図Ｂ図の長さは、半周の長さ。
【発明が解決しようとする課題】
【０００３】スパイクゴムチェーンを装着して、運転走行して、ハンドルに振動を少なくする。
【発明が解決するための手段】
【０００４】繋ぎ目を無くして、タイヤにフィットさせること、それには図１の図を両方の横を、引っ張ると、縦方向が短くなることを、応用した。
【発明の効果】
【０００５】従来よりも、スムーズに運転走行ができる。
【図面の簡単な説明】
【０００６】
【図１】  図１図２は、縦方向を、横向きにした図、スパイクゴムチェーン。
【図２】  図１を両横に引っ張ると、図２のように縦方向が、短くなった状態。
【図３】  内側の、ワイヤーバンドをロックした、状態。
【図４】  外側締め付け用ロープを、引いたままで、バンドをロックした状態。
【図５】  図４の内の円を、図５へ拡大
【符号の説明】
【０００７】１      ネットゴムチェーン。
２      スパイク。
３      ワイヤーバンドと、ネットゴムチェーンの、結合金具。
４      ワイヤーバンド。
５      ワイヤーバンドのロック金具。
６      外側のロープでの、締め付け用金具。
７      外側の締め付け用ロープ。
【図１】
2014118134.tif 000003
【図２】
2014118134.tif 000004
【図３】
2014118134.tif 000005
【図４】
2014118134.tif 000006
【図５】
2014118134.tif 000007